(57)【要約】【課題】サークル錠を取り付けるためのステーが変形している場合でもサークル錠に捩れが生じにくく、また、開錠時の衝撃力によってサークル錠が位置ズレしにくいサークル錠の取付バンドを提供すること。【解決手段】サークル錠９が取り付けられる固定部１と、前記固定部１を自転車Ｊのステーに取り付けるための帯状の巻き付け部２と、前記ステーに対して巻き付け部の巻き付け力を付与するための締め付け部３を備えたサークル錠の取付バンドにおいて、前記固定部１は、上部開放の断面横Ｃ型チャンネル形状としてある。【選択図】 図４
2007284951.tif 000002
【特許請求の範囲】
【請求項１】
サークル錠が取り付けられる固定部と、前記固定部を自転車のステーに取り付けるための帯状の巻き付け部と、前記ステーに対して巻き付け部の巻き付け力を付与するための締め付け部を備えたサークル錠の取付バンドにおいて、前記固定部は、上部開放の断面横Ｃ型チャンネル形状としてあることを特徴とするサークル錠の取付バンド。
【請求項２】
平面視十字状の板材から成り、一方の直線対応部側の上方への折り曲げにより上部開放の断面横Ｃ型チャンネル形状の固定部が形成され、他方の直線対応部側の折り曲げにより巻き付け部及び締め付け部が形成されていることを特徴とする請求項１記載のサークル錠の取付バンド。
【請求項３】
サークル錠がリベット止めされる部分が、上部開放の断面横Ｃ型チャンネル形状である固定部の一対の上側片であることを特徴とする請求項１又は２記載のサークル錠の取付バンド。
【発明の詳細な説明】
【技術分野】
【０００１】
この発明は、自転車の錠前であるサークル錠（施錠時は円環状となり、開錠時は欠円環状となる錠前）を、左右のシートステー等に取り付けるための取付バンドに関するものである。
【背景技術】
【０００２】
図８に示すように、サークル錠９は、基本的には、両端開放の正面視円弧状の錠本体９０と、前記錠本体９０内に開錠位置へとバネ付勢される態様で収容され且つ操作ツマミ９１を介して前記バネ付勢の力に抗して施錠位置へと移動せしめられる円弧錠の閂９２と、施錠位置にある閂９２を移動不能にロックする機能を有したシリンダー錠９３を備えており、施錠時には、錠本体９０の一方の開放部から突出する閂９２の端部が、当該錠本体９０の他方の開放部に挿入されて円環状となる形態を採っている。そして、サークル錠９は、図９に示すように、錠本体９０の薄板部９０ａの裏面側にリベットＲで固定された左右一対の取付バンドＢを、左右一対のシートステーＳＴに取り付ける態様で自転車に設置される。
【０００３】
ここで、一般的に取付バンドＢは、図９に示すように、サークル錠９が取り付けられる固定部１と、前記固定部１を自転車のシートステーＳＴに取り付けるための帯状の巻き付け部２と、前記シートステーＳＴに対して巻き付け部２の巻き付け力を付与するための締め付け部３を備え、前記固定部１は巻き付け部２を挟む態様の下面側開放の断面横コ字状に形成してある。この取付バンドＢをシートステーＳＴに取り付けた状態では、固定部１における外側片１９の下端部がシートステーＳＴに強く当接しており、サークル錠９は強固な取付状態になる。
【０００４】
しかしながら、近年の低コスト化でサークル錠９の剛性が低下しているため、シートステーＳＴが変形しているような場合には、図１０に示すように、シートステーＳＴに倣ってサークル錠９に捩れ現象が生じることがある。その場合、サークル錠の開閉操作において作動不良が生じたり、場合によって施錠ができない（錠本体９０の一方の開放部から突出する閂９２の端部が当該錠本体９０の他方の開放部に挿入できない）という事態が生じてしまう。
【０００５】
なお、上記問題を解決するため図１１に示すような形態の取付バンドＢを用いることも考えられるが、このものは上述した外側片１９が存在せず、シートステーＳＴと巻き付け部２との接触による抵抗のみで固定されているだけであるから、開錠時における錠本体９０と操作ツマミ９１との衝突によって生じる衝撃力により、シートステーＳＴに対してサークル錠９が位置ズレするという問題が生じる。
【特許文献１】特願２００４−３５９１３９号（図３参照）
【発明の開示】
【発明が解決しようとする課題】
【０００６】
そこで、この発明では、サークル錠を取り付けるためのステーが変形している場合でもサークル錠に捩れが生じにくく、また、開錠時の衝撃力によってサークル錠が位置ズレしにくいサークル錠の取付バンドを提供することを課題とする。
【課題を解決するための手段】
【０００７】
（請求項１記載の発明）
この発明のサークル錠の取付バンドは、サークル錠が取り付けられる固定部と、前記固定部を自転車のステーに取り付けるための帯状の巻き付け部と、前記ステーに対して巻き付け部の巻き付け力を付与するための締め付け部を備えたサークル錠の取付バンドにおいて、前記固定部は、上部開放の断面横Ｃ型チャンネル形状としてある。
【０００８】
（請求項２記載の発明）
この発明のサークル錠の取付バンドは、上記請求項１記載の発明に関し、平面視十字状の板材から成り、一方の直線対応部側の上方への折り曲げにより上部開放の断面横Ｃ型チャンネル形状の固定部が形成され、他方の直線対応部側の折り曲げにより巻き付け部及び締め付け部が形成されている。
【０００９】
（請求項３記載の発明）
この発明のサークル錠の取付バンドは、上記請求項１又は２記載の発明に関し、サークル錠がリベット止めされる部分が、上部開放の断面横Ｃ型チャンネル形状である固定部の一対の上側片である。
【発明の効果】
【００１０】
この発明のサークル錠の取付バンドによると、サークル錠を取り付けるためのステーが変形している場合でもサークル錠に捩れが生じにくく、また、開錠時の衝撃力によってサークル錠が位置ズレしにくい。
【発明を実施するための最良の形態】
【００１１】
以下にこの発明におけるサークル錠の取付バンドを実施するための最良の形態として実施例について詳しく説明する。
【実施例１】
【００１２】
図１は自転車ＪのシートステーＳＴにこの発明の実施例１の取付バンドＢを介してサークル錠９を取り付けた状態を示す斜視図、図２は自転車ＪのシートステーＳＴに取付バンドＢを介してサークル錠９を取り付けた状態を示す側面図、図３はサークル錠９に取付バンドＢを取り付けた状態を示す側面図、図４は変形していないシートステーＳＴに取り付けられた状態のサークル錠９を示す説明図、図５は変形したシートステーＳＴに取り付けた状態のサークル錠９を示す説明図を示している。
【００１３】
（自転車Ｊへのサークル錠９の取り付けについて）
図１や図２は自転車Ｊの一部を示すものであり、図中、符号８０は前輪、符号８１はサドル、符号８２は下パイプ、符号８３は立てパイプ、符号８４はペダル、符号８５は後輪、符号８６はスポーク、符号９はサークル錠を示している。
【００１４】
サークル錠９は、図１〜図３に示すように、両端開放の正面視円弧状の錠本体９０と、前記錠本体９０内に開錠位置へとバネ付勢される態様で収容され且つ操作ツマミ９１を介して前記バネ付勢の力に抗して施錠位置へと移動せしめられる円弧錠の閂９２と、施錠位置にある閂９２を移動不能にロックする機能を有したシリンダー錠９３を備えており、施錠時には、錠本体９０の一方の開放部から突出する閂９２の端部が、当該錠本体９０の他方の開放部に挿入されて円環状となる形態を採っている。そして、このサークル錠９は、図１や図２に示すように、錠本体９０の薄板部９０ａの裏面側にリベットＲで固定された左右一対の取付バンドＢを、左右一対のシートステーＳＴに取り付ける態様で自転車Ｊに設置される。
【００１５】
（取付バンドＢについて）
取付バンドＢは、全体が鋼材で構成されており、図４に示すように、サークル錠９が取り付けられる固定部１と、前記固定部１を自転車ＪのシートステーＳＴに取り付けるための帯状の巻き付け部２と、前記シートステーＳＴに対して巻き付け部の締め付け力を付与するための締め付け部３を備えている。
【００１６】
ここで、この取付バンドＢは、基本的には、平面視十字状の板材から成り、一方の直線対応部側の上方への折り曲げにより図４に示す如き上部開放の断面横Ｃ型チャンネル形状の固定部１が形成され、他方の直線対応部側の折り曲げにより同図に示す如き巻き付け部２及び締め付け部３が形成されている。
【００１７】
固定部１は、上述した如く上部開放の断面横Ｃ型チャンネル形状であり、図３や図４に示すように、錠本体９０の薄板部９０ａにリベットＲで止めるための孔１１を上側片１０，１０に形成してある。なお、図３や図４で示した孔１２はリベットＲをカシメるときに使用する孔である。
【００１８】
この固定部１は、通常、高さ４ｍｍ程度、幅１０ｍｍ程度、長さは３５ｍｍ程度、板厚１ｍｍ程度に設定されている。
【００１９】
巻き付け部２は、図３や図４に示すように、固定部１の中程から伸びている二本の帯状のものであり、シートステーＳＴに倣うように外側に向かって湾曲させてある。
【００２０】
締め付け部３は、図３や図４に示すように、巻き付け部２の先端部分に接続されていると共に、一方に挿通孔３０、他方にネジ孔３１が形成されており、前記挿入孔３０を通したビス３２をネジ孔３１にねじ込むことにより、シートステーＳＴにサークル錠９が強固に取り付けられるようになっている。
【００２１】
（取付バンドＢの優れた機能について）
この実施例の取付バンドＢは上記構成であるから以下の機能を発揮する。
（１）背景技術で述べたように、近年の低コスト化でサークル錠９の剛性が低下しているため、シートステーＳＴが変形しているような場合には、シートステーＳＴに倣ってサークル錠９に捩れ現象が生じる（従来例の取付バンドＢを使用した場合）。
【００２２】
これは従来の取付バンドＢでは、外側片１９の高さは４ｍｍ程度であるから座屈（変形）することはなく、シートステーＳＴの変形は緩和されることなくそのまま錠本体９０の変形となってしまうからである。
【００２３】
これに対して、この実施例の取付バンドＢでは、シートステーＳＴの変形は上側片１０の曲げ変形（上記座屈に比べて起こりやすい）により緩和され、錠本体９０は前記シートステーＳＴの変形よりもかなり小さな変形となる。
【００２４】
したがって、この実施例の取付バンドＢによると、サークル錠９を取り付けるためのシートステーＳＴが変形している場合でもサークル錠９に捩れが生じにくいことが明らかである。よって、取付バンドＢによると、サークル錠９の開閉操作において作動不良が生じたり、場合によって施錠ができない（錠本体９０の一方の開放部から突出する閂９２の端部が当該錠本体９０の他方の開放部に挿入できない）という事態が生じる可能性はかなり低くなる。
【００２５】
（２）この実施例の取付バンドＢでは、固定部１は上部開放の断面横Ｃ型チャンネル形状であるので、シートステーＳＴとの接触面積が広く、その結果、開錠時の衝撃力によってサークル錠が位置ズレしにくいことが明らかである。
【００２６】
（３）背景技術で述べた前者の取付バンドＢを強く締め付けると、外側片１９
の下端によりシートステーＳＴに傷が付くが、この実施例の取付バンドＢでは、固定部１におけるシートステーＳＴとの接触面（下側片１３）がフラットであるからそのような事態は生じない。
【実施例２】
【００２７】
上記実施例１では、固定部１の下側片１３をフラットとしてあるが、この実施例２では、図６に示すように、下側片１３のうち、両端部のみがシートステーＳＴに当接し、両端部以外はシートステーＳＴから離れる形態を採っている。しかも、この固定部１はシートステーＳＴと当接する下側片１３の両端部が小さな半径のＲ形状となっている。したがって、取付バンドＢを強く締め付けると、シートステーＳＴと下側片１３の両端部との接触圧は非常に大きなものとなるのでサークル錠９は上述した不用意な位置ズレは生じず、更に、下側片１３の両端部が当接するシートステーＳＴ部分には傷が付く可能性は低い。つまり、この固定部１を採用した場合、上記（取付バンドＢの優れた機能について）の欄に記載した（２）（３）と同等の機能を発揮する。そして、同欄の（１）に記載した機能を発揮することも明らかである。
【実施例３】
【００２８】
上記実施例１では、固定部１の下側片１３をフラットとして当該固定部１をシートステーＳＴに直接接触させているが、この実施例３では図７に示すように、孔１２にゴム製の偏平部材４を嵌め込み、前記偏平部材４の下面をシートステーＳＴに接触させている。したがって、取付バンドＢを強く締め付けると、摩擦係数が大きなゴム製の偏平部材４の存在により、サークル錠９は不用意に位置ズレすることはなく、更に、シートステーＳＴ部分には傷が付く可能性は無い。つまり、この固定部１を使用した場合、上記（取付バンドＢの優れた機能について）の欄に記載した（２）（３）と同等の機能を発揮する。そして、同欄の（１）に記載した機能を発揮することも明らかである。
【００２９】
（その他）
上記実施例１〜３は、基本的には取付バンドＢをシートステーＳＴに取り付ける態様を採っているが、これに限定されるものではなく、自転車Ｊを構成する他のステー（取付バンドＢが取付可能な取付部材は全て含む）に取り付けるようにしてもよい。
【図面の簡単な説明】
【００３０】
【図１】自転車のシートステーにこの発明の実施例１の取付バンドを介してサークル錠を取り付けた状態を示す斜視図。
【図２】前記自転車のシートステーに取付バンドを介してサークル錠を取り付けた状態を示す側面図。
【図３】前記サークル錠に取付バンドを取り付けた状態を示す側面図。
【図４】変形していないシートステーに取付バンドを介して取り付けられた状態のサークル錠を示す説明図。
【図５】変形したシートステーに取付バンドを介して取り付けた状態のサークル錠を示す説明図。
【図６】この発明の実施例２の取付バンドを介してサークル錠をシートステーに取り付けた状態を示す説明図。
【図７】この発明の実施例３の取付バンドを介してサークル錠をシートステーに取り付けた状態を示す説明図。
【図８】自転車のシートステーに従来の取付バンドを介してサークル錠を取り付けた状態を示す斜視図。
【図９】変形していないシートステーに従来の取付バンドを介して取り付けられたサークル錠を示す説明図。
【図１０】変形したシートステーに従来の取付バンドを介して取り付けられたサークル錠を示す説明図。
【図１１】変形していないシートステーに従来の取付バンドを介して取り付けられたサークル錠を示す説明図
【符号の説明】
【００３１】
Ｊ      自転車
ＳＴ    シートステー
１      固定部
２      巻き付け部
３      締め付け部
９      サークル錠
【図１】
2007284951.tif 000003
【図２】
2007284951.tif 000004
【図３】
2007284951.tif 000005
【図４】
2007284951.tif 000006
【図５】
2007284951.tif 000007
【図６】
2007284951.tif 000008
【図７】
2007284951.tif 000009
【図８】
2007284951.tif 000010
【図９】
2007284951.tif 000011
【図１０】
2007284951.tif 000012
【図１１】
2007284951.tif 000013